(57)【要約】【課題】掃除機本体の姿勢によらず排気方向を設定できる電気掃除機を提供する。【解決手段】電気掃除機１は、掃除機本体２と、電動送風機と、排気口22と、回動部14と、を備える。電動送風機は、掃除機本体２内に設けられる。排気口22は、電動送風機の排気を掃除機本体２の外部へ排出する。回動部14は、掃除機本体２内において、電動送風機の排気側から排気口22までの風路の少なくとも一部を構成し、掃除機本体２に回動可能に支持される。排気口22は、回動部14の回動軸と交差する面に設けられる。【選択図】図１
2020065699.tif 000002
【特許請求の範囲】
【請求項１】
掃除機本体と、
前記掃除機本体内に設けられた電動送風機と、
前記電動送風機の排気を前記掃除機本体の外部へ排出する排気口と、
前記掃除機本体内において、前記電動送風機の排気側から前記排気口までの風路の少なくとも一部を構成し、前記掃除機本体に回動可能に支持された回動部と、を備え、
前記排気口は、前記回動部の回動軸と交差する面に設けられている
ことを特徴とする電気掃除機。
【請求項２】
前記回動部は、前記排気口から所定方向へと排気可能となるように前記掃除機本体に回動可能に支持されている
ことを特徴とする請求項１記載の電気掃除機。
【請求項３】
前記回動部は、前記排気口から所定方向を除く方向へと排気可能となるように前記掃除機本体に回動可能に支持されている
ことを特徴とする請求項１記載の電気掃除機。
【請求項４】
前記排気口は、前記回動部における前記風路の下流側の面に設けられており、
前記回動部は、前記掃除機本体の外郭面の一部を構成している
ことを特徴とする請求項１ないし３いずれか一記載の電気掃除機。
【請求項５】
前記排気口は、前記掃除機本体の外郭面に設けられ、
前記回動部における前記風路の下流側の面は、一部が閉塞し、一部が開口した形状を有する
ことを特徴とする請求項１ないし３いずれか一記載の電気掃除機。
【請求項６】
前記回動部は、錘が設けられており、その回動軸に対して偏心する
ことを特徴とする請求項１ないし５いずれか一記載の電気掃除機。
【請求項７】
前記排気口は、前記回動部の回動方向において前記錘が設けられた位置を除くいずれかの位置に設けられている
ことを特徴とする請求項６記載の電気掃除機。
【請求項８】
前記回動部は、円錐台形状を有する
ことを特徴とする請求項１ないし７いずれか一記載の電気掃除機。
【請求項９】
前記掃除機本体に設けられた把持部を備えるスティック型又はハンディ型の電気掃除機である
ことを特徴とする請求項１ないし８いずれか一記載の電気掃除機。
【発明の詳細な説明】
【技術分野】
【０００１】
本発明の実施形態は、電動送風機の排気を掃除機本体の外部へと排出する排気口を備える電気掃除機に関する。
【背景技術】
【０００２】
含塵空気を集塵部へと吸い込むための電動送風機を掃除機本体の内部に備え、集塵部により塵埃が分離捕集された空気を電動送風機の吸込側から吸い込んで、電動送風機の排出側から排出した後、掃除機本体に設けられた排気口から掃除機本体の外部へと排気する電気掃除機が知られている。
【０００３】
このような電動送風機からの排気は、被掃除面となる床面に吹き付けられると床面の塵埃を撒き散らしてしまうとともに、ユーザに吹き付けられるとユーザが不快に感じてしまう。このため、排気をどの向きとするかは重要である。掃除機本体を床面上に載置して使用するキャニスタ型の電気掃除機であれば、使用している間、掃除機本体の姿勢が略一定を保つことにより、電動送風機の排気を排出する方向は所定方向に設定される。
【０００４】
これに対して、スティック型やハンディ型等の電気掃除機の場合、掃除機本体の姿勢は、使用形態や対象となる被掃除面等に応じて様々に変化するため、掃除機本体の姿勢によっては、排気が床面側になってしまったり、ユーザに向いてしまったりしてしまう。
【先行技術文献】
【特許文献】
【０００５】
【特許文献１】特開２０１１−１５６１３８号公報
【発明の概要】
【発明が解決しようとする課題】
【０００６】
本発明が解決しようとする課題は、掃除機本体の姿勢によらず排気方向を設定できる電気掃除機を提供することである。
【課題を解決するための手段】
【０００７】
実施形態の電気掃除機は、掃除機本体と、電動送風機と、排気口と、回動部と、を備える。電動送風機は、掃除機本体内に設けられる。排気口は、電動送風機の排気を掃除機本体の外部へ排出する。回動部は、掃除機本体内において、電動送風機の排気側から排気口までの風路の少なくとも一部を構成し、掃除機本体に回動可能に支持される。排気口は、回動部の回動軸と交差する面に設けられる。
【図面の簡単な説明】
【０００８】
【図１】第１の実施形態の電気掃除機の掃除機本体を排気口側から模式的に示す説明図である。
【図２】同上電気掃除機の回動体を排気口側から模式的に示す斜視図である。
【図３】同上電気掃除機を示す斜視図である。
【図４】第２の実施形態の電気掃除機の回動体を排気口側から模式的に示す説明図である。
【図５】第３の実施形態の電気掃除機の回動体を排気口側から模式的に示す説明図である。
【図６】第４の実施形態の電気掃除機の回動体を排気口側から模式的に示す説明図である。
【図７】(a)は第５の実施形態の電気掃除機の掃除機本体を排気口側から模式的に示す説明図、(b)は回動体を排気口側から模式的に示す斜視図である。
【図８】(a)は同上電気掃除機の掃除機本体が一の姿勢となっている状態を排気口側から模式的に示す説明図、(b)は電気掃除機の掃除機本体が他の姿勢となっている状態を排気口側から模式的に示す説明図である。
【図９】第６の実施形態の電気掃除機の一部を示す斜視図である。
【発明を実施するための形態】
【０００９】
(第１の実施形態)
以下、第１の実施形態について、図面を参照して説明する。
【００１０】
図３において、１は電気掃除機である。電気掃除機１は、本実施形態において、ユーザが掃除機本体２を把持操作して被掃除面を掃除する。本実施形態では、電気掃除機１として、二次電池を電源とするスティック型の電気掃除機を例に挙げて説明するが、商用電源等の外部電源からコードリール装置により電源を取るコード式の電気掃除機や、二次電池を電源とするハンディ型の電気掃除機等でもよい。
【００１１】
掃除機本体２には、本実施形態において、風路体３が着脱可能に接続される。風路体３は、吸込風路を形成するものである。風路体３は、本実施形態において、例えば延長管５、及び、吸込口体６を備えている。吸込口体６は、本実施形態では床ブラシが用いられるが、これに限られず、例えばつる口等、他の吸込口体でもよい。
【００１２】
また、掃除機本体２には、ユーザの把持操作用の把持部７が形成されている。把持部７は、掃除機本体２において、把持部７を把持するユーザに対向する掃除機本体２の上部に形成されている。本実施形態の把持部７により電気掃除機１が吊り下げ把持されるようになっている。また、本実施形態の把持部７は、掃除機本体２に対してループ状に形成されたハンドルである。また、把持部７には、電気掃除機１の起動及び停止を設定する設定手段８が配置されている。設定手段８は、例えば把持部７を把持した手の指で操作可能となっている。
【００１３】
掃除機本体２には、吸込口９が形成されている。吸込口９は、掃除機本体２の一端部である前端に位置しているが、この位置に限定されるものではない。本実施形態において、吸込口９には風路体３が接続される。吸込口９には、延長管５と吸込口体６とが選択的に接続可能となっている。本実施形態の電気掃除機１は、吸込口９に対して延長管５が接続される場合、長尺のスティック型となり、吸込口９に対して吸込口体６が接続される場合、小型のハンディ型となるように切り換え可能である。なお、吸込口９には、延長管５及び吸込口体６以外の種々の管、ブラシ等が接続可能である。
【００１４】
また、電気掃除機１は、電動送風機11を備えている。電動送風機11は、掃除機本体２に収容されている。さらに、電気掃除機１は、集塵部12を備えている。集塵部12は、電動送風機11の吸込側である吸込部と連通し、電動送風機11の駆動により吸込口９から吸い込まれる含塵空気から塵埃を分離して集積するようになっている。集塵部12は、例えば含塵空気から塵埃を濾過分離するフィルタや紙パック等でもよいし、含塵空気を旋回させて塵埃をサイクロン分離するサイクロン分離装置等でもよい。また、集塵部12は、掃除機本体２に対して着脱可能となっていてもよいし、掃除機本体２に内蔵されていてもよい。
【００１５】
さらに、電気掃除機１は、設定手段８による設定に応じて電動送風機11を制御する制御手段を備えている。制御手段は、例えば掃除機本体２の内部に配置されている。
【００１６】
また、電気掃除機１は、電動送風機11及び制御手段等に給電する電源部を備えている。本実施形態では、電源部は例えば二次電池である。電源部は、掃除機本体２に備えられている。
【００１７】
さらに、掃除機本体２内の電気掃除機１の他端側となる後端面19に対向する位置に排気口体である回動部14を備えている。回動部14は、内部が電動送風機11の排気側である排気部と連通し、電動送風機11の排気を掃除機本体２の外部へと排出するための排出部の少なくとも一部を構成するものである。回動部14は、掃除機本体２に回動可能に支持されている。回動部14は、図２に示すように、電動送風機11の排気部と連通する側の径が小さく、後端面19側の径が大きい円錐台形状を有している。なお、回動部14の形状はこれに限られるものではなく、筒状等に形成されていてもよい。本実施形態の回動部14は、例えば円錐台形状に形成されているが、これに限られず、多角形錐台形状等に形成されていてもよい。回動部14は、後端面19側に排気口22を備えた対向面16を有し、側面に側面17を有し、中空形状を有している。対向面16は、掃除機本体２の外郭面をなす後端面19の一部を形成している。また、回動部14は、電動送風機11の排気部と連通する側の連通部18が掃除機本体２にベアリング等を介して支持され、図２の矢印Ａに示すように、中心軸CLを中心として周方向又は軸回り方向に回動可能となっている。ここで、図２に示す電動送風機11はカバー部材に収容された状態を示しており、電動送風機11の電動送風機本体とカバー部材との間から排出された排気は、回動部14の連通部18から回動部14の内部を風路として排気口22から排出される。
【００１８】
本実施形態の回動部14は、連通部18の中心部と対向面16の中心部とを結ぶ仮想線が対向面16に対して垂直で中心軸CLと一致又は略一致する直錐状であるが、これに限定されず、連通部18の中心部と対向面16の中心部とを結ぶ仮想線が対向面16に対して傾斜する斜錐状に形成されていてもよい。また、図２に示す例では、中心軸CLが回動部14の回動軸と一致しているが、これに限られず、中心軸CLと回動部14の回動軸とがずれていてもよい。
【００１９】
ここで、回動部14は、回動軸に対して偏心している。図２に示す例では、回動部14には、錘20が取り付けられており、錘20によって回動部14が回動軸に対して偏心されている。錘20は、例えば回動軸である中心軸CLに対して径方向に離れた位置に取り付けられている。本実施形態の錘20は、対向面16と側面17とが連なる位置に取り付けられている。図２に示す例では、錘20は、回動部14の最も径寸法が大きい位置に取り付けられているが、例えば対向面16の外縁よりも中心軸CL側の位置に取り付けられていてもよいし、連通部18から対向面16まで側面17上に稜線に沿って直線状に取り付けられていてもよい。また、錘20は、回動部14とは別体で形成され、インサート成形等によって回動部14と一体的に成形されてもよいし、接着剤等で回動部14に一体的に固着されていてもよいし、回動部14を形成する際にこの回動部14を構成する合成樹脂等によって回動部14と一体的に成形されてもよい。さらに、錘20は、回動部14に対して複数箇所に選択的に着脱可能となっていてもよい。そして、錘20の重量により、回動部14は、錘20が下側となる位置に回動自在となっている。
【００２０】
また、電気掃除機１は、電動送風機11の排気を掃除機本体２の外部に排出する排気口22を備えている。排気口22は、回動部14の回動軸である中心軸CLと交差する面に配置されている。本実施形態において、排気口22は、回動部14の対向面16を貫通して形成されている。本実施形態の排気口22は、例えばスリット状に形成されているが、この形状に限られず、例えば丸孔状等に形成されていてもよいし、対向面16の周方向に沿って湾曲して形成されていてもよい。また、排気口22は、回動部14の回動方向において錘20が設けられた位置を除くいずれかの位置に設けられている。好ましくは、排気口22は、回動部14の回動軸である中心軸CLに対して、偏心側に位置する錘20とは反対側に配置されている。錘20と排気口22とは、中心軸CLを挟んで互いに反対側に位置している。また、矢印Ｂで示すように、排気口22は、中心軸CL又は錘20から遠ざかる所定方向である後方上側に向けて排気を排出するように形成されている。排気口22からの排気方向は、排気口22の開口方向自体により設定されていてもよいし、排気口22にフィン等の風向制御体を設けることにより設定されていてもよい。例えば排気口22に風向制御体を設ける場合には、風向制御体を可動的とし、ユーザが排気口22からの排気方向を設定できるようにしてもよい。また、本実施形態において、排気口22が形成されている回動部14の対向面16は、掃除機本体２の後端面19の中央部分を構成しており、後端面19の他の部分は掃除機本体２の外郭となっている。対向面16と後端面19とは互いに摺動可能なようにシールされている。なお、対向面16が後端面19から突出する形状であっても、回動部14全体が掃除機本体２に収容されており、排気口22が掃除機本体２の後端面19に設けられた排気開口と連通するものであってもよい。また、対向面16は、後端面19に対し３６０°回転可能に設けられていても、回転範囲を所定範囲に規制するものであってもよい。
【００２１】
次に、上記第１の実施形態の動作を説明する。
【００２２】
ユーザが把持部７を把持し、設定手段８を操作して動作要求を入力すると、制御手段が動作要求に応じて電動送風機11を動作させ、負圧を発生させる。ユーザは把持部７を把持操作し、吸込口体６等から被掃除面の塵埃を空気とともに吸い込む。そして、含塵空気は吸込口９から集塵部12へと吸い込まれ、集塵部12において塵埃が分離捕集される。塵埃が分離された空気は、電動送風機11に吸い込まれる。電動送風機11に吸い込まれた空気は、電動送風機11を冷却した後、電動送風機11から排気されて回動部14内へと導かれ、排気口22を介して掃除機本体２の外部へと排出される。
【００２３】
ここで、床面を掃除する際、通常ユーザは把持部７を上側として掃除機本体２を把持し、吸込口体６等、吸込口９を下方に向けて塵埃を吸い込む。このとき、図１の実線に示すように、回動部14は、錘20の重量によって錘20側が鉛直方向下側となる位置にあり、掃除機本体２の後端から錘20とは反対方向である上側に向けて、排気口22から排気を排出する。
【００２４】
また、壁面や狭い隙間の床面等を掃除する場合等、ユーザは吸込口体６等を被掃除面に当てる角度や挿入する角度を変えるために、図１の矢印Ｃに示すように、把持部７すなわち、掃除機本体２を左右にひねることがある。このとき、図１の二点鎖線に示すように、回動部14は、錘20の重量によって掃除機本体２に対して中心軸CLを回転中心として回動し、錘20側が鉛直方向下側となる位置となるため、排気口22の位置は掃除機本体２をひねる前の位置を保つ。そのため、掃除機本体２の後端から錘20とは反対方向である上側に向けて、排気口22から排気を排出する。
【００２５】
このように、第１の実施形態によれば、掃除機本体２に回動可能に支持された回動部14の回動軸と交差する面に排気口22を設けたので、ユーザが掃除機本体２の姿勢を回動部14が回動可能な方向に変えても、回動部14が掃除機本体２に対して相対的に回動することで、排気口22の位置を保つ。したがって、掃除機本体２の姿勢によらず排気方向を設定できる。
【００２６】
上記のように掃除機本体２の姿勢を変えても回動部14が掃除機本体２に対して相対的に回動して排気口22の位置を保つことで、スティック型やハンディ型の電気掃除機１であっても、排気方向を固定でき、排気により床面の塵埃を吹き飛ばして舞い上げたり、使用中のユーザの顔等に排気が吹き付けられたりすることを抑制できる。
【００２７】
また、回動部14が排気口22から所定方向へと排気可能となるように掃除機本体２に回動可能に支持されているため、排気口22から、掃除を妨げず、又ユーザに不快感を生じさせない所定方向へと容易に排気を排出できる。
【００２８】
また、排気口22は、回動部14の偏心側とは反対方向に向かい排気するように設けられているため、回動部14の偏心側が自重によって自動的に下側となることで、排気口22を床面から相対的に上側に遠ざけて、下側に向けて排気しないようにすることが容易に可能となり、床面等に排気が吹き付けられることを抑制できる。
【００２９】
また、回動部14は、錘20を取り付けて偏心させることで、錘20の重さや位置等を制御することにより、回動部14の回動を容易に制御できる。
【００３０】
(その他の実施形態)
第１の実施形態では、回動部14の偏心側とは反対側に排気口22を設ける例を説明したが、錘20と排気口22との位置関係を変えることにより排気方向を所望の方向とすることができる。
【００３１】
例えば、図４に示す第２の実施形態のように、排気口22を、回動軸である中心軸CLから見て、錘20の側方に配置し、排気口22の排気方向を図中左側に向ければ、掃除機本体２の姿勢によらず鉛直方向に対して側面方向への排気が可能となる。
【００３２】
また、例えば、図５に示す第３の実施形態のように、排気口22を、回動軸である中心軸CLから見て、回動部14の偏心側である錘20と同側に配置し、排気口22の排気方向を図中下側に向ければ、掃除機本体２の姿勢によらず鉛直方向に対して下方向への排気が可能となる。
【００３３】
また、例えば、図６に示す第４の実施形態のように、排気口22が、錘20が設けられる側方以外の方向に配置されることで、掃除機本体２の姿勢によらず鉛直方向に対して下方向以外への排気が可能となり、所定方向を除く方向への排気が可能となる。
【００３４】
また、第１の実施形態では、回動部14が後端面19を構成する例を説明したが、例えば、図７(a)に示す第５の実施形態のように、後端面19に排気口29を形成するとともに、図７(b)に示すように、回動部14の対向面16の一部を開口部27としてもよい。開口部27は、図７(b)の例では扇形状の切り欠きであるが、その形状は特に限られるものではない。この場合、回動部14の対向面16の開口部27を除く部分が閉塞された覆い部28となり、図８(a)及び図８(b)に示すように、ユーザが掃除機本体２の姿勢を変えても、回動部14が掃除機本体２に対して相対的に回動することで、例えば掃除機本体２に設けられ電動送風機11の排気部と連通する排気口29を覆い部28によって覆い、排気口29を覆わない開口部27の位置から、電動送風機11の排気を排出可能とすることができる。
【００３５】
さらに、第１の実施形態では、回動部14が掃除機本体２の後端面19に対向する位置にある例を説明したが、回動部14の位置はこれに限られるものではなく、図９に示す第６の実施形態のように、掃除機本体２の側面に設けられてもよい。この場合、ハンディ型などで被掃除面に対する高さや、図中の矢印で示すように被掃除面に対する角度を変えた場合でも、排気方向を所定方向に設定することができる。なお、ここまで排気口22は、回動部14の回動方向において錘20が設けられた位置を除くいずれかの位置に設けられている例を説明したが、排気口22を、回動部14の回動方向において錘20が設けられた位置側に設けてもよい。この場合は、排気口22を鉛直方向下側に設定することができる。
【００３６】
また、回動部14は、錘20により偏心させたが、これに限られず、回動部14の形状や肉厚に偏りを生じさせる等の構成によって偏心させてもよい。
【００３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
１    電気掃除機
２    掃除機本体
７    把持部
11    電動送風機
14    回動部
20    錘
22，29    排気口
【図１】
2020065699.tif 000003
【図２】
2020065699.tif 000004
【図３】
2020065699.tif 000005
【図４】
2020065699.tif 000006
【図５】
2020065699.tif 000007
【図６】
2020065699.tif 000008
【図７】
2020065699.tif 000009
【図８】
2020065699.tif 000010
【図９】
2020065699.tif 000011